(57)【要約】
【課題】　変圧器を複数台一括して収納した状態で、安全で効率よく保管、運搬等ができ、且つ、保管スペースを有効に利用することができる変圧器の収納保管装置を提供すること。
【解決手段】　矩形状基底部２の前側に、該基底部幅以上の内寸幅を設けて一対の前方支柱３，３を立設し、且つ、基底部２の後側に、前記前方支柱３，３の内寸幅以下の外寸幅を設けて一対の後方支柱４，４を立設し、該後方支柱４，４の外寸幅以上の内寸幅を有した略コ字形状の水平枠７を、前記前方支柱３，３間を開口面として各支柱３，４に渡って設け、前記各支柱下端部に形成した係合載置部５を、下側に位置する装置１の各支柱上端部に夫々嵌入載置すると共に、各係合載置部５及び支柱上端部に形成された貫通孔にロック部材１１を挿着して、装置同志を積み重ね可能に設けた変圧器の収納保管装置である。
【選択図】　　　　　図１
0003099712.tif 000002
【実用新案登録請求の範囲】
【請求項１】
　矩形状基底部の前側に、該基底部幅以上の内寸幅を設けて一対の前方支柱を立設し、且つ、基底部の後側に、前記前方支柱の内寸幅以下の外寸幅を設けて一対の後方支柱を立設し、該後方支柱の外寸幅以上の内寸幅を有した略コ字形状の水平枠を、前記前方支柱間を開口面として各支柱に渡って設けており、前記各支柱下端部に形成した係合載置部を、下側に位置する装置の各支柱上端部に夫々嵌入載置すると共に、各係合載置部及び支柱上端部に形成された貫通孔にロック部材を挿着して、装置同志を積み重ね可能に設けたことを特徴とする変圧器の収納保管装置。
【請求項２】
　矩形状基底部の前側に、該基底部幅以上の内寸幅を設けて一対の前方支柱を立設し、且つ、基底部の後側に、前記前方支柱の内寸幅以下の外寸幅を設けて一対の後方支柱を立設し、該後方支柱の外寸幅以上の内寸幅を有した略コ字形状の水平枠を、前記前方支柱間を開口面として各支柱に渡って設けており、前記各支柱の下端部には係合載置部を形成し、各支柱の上端部にはガイド部を形成し、前記各係合載置部を下側に位置する装置の各ガイド部に夫々嵌入載置して、装置同志を積み重ね可能に設けたことを特徴とする変圧器の収納保管装置。
【請求項３】
　上記支柱間に、着脱自在な補助バーを設けた請求項１又は２に記載の変圧器の収納保管装置。
【請求項４】
　上記前方支柱の正面側に、上記基底部の上面と同一高さに水平面を有する断面略Ｌ字状の係止片を設け、装置同志を重ね合わせた時に、上側に位置する装置の前方支柱の係合載置部が、下側に位置する装置の前方支柱の係止片に係止して、順次重ね合わせ可能に設けた請求項１乃至３の何れか１項に記載の変圧器の収納保管装置。
【請求項５】
　上記水平枠は、前方支柱と後方支柱の間を連結する一対の側面桟と、後方支柱間を連結する後面桟とからなり、装置同志を重ね合わせた時に、下側に位置する装置の前方支柱上端部が、上側に位置する装置の水平枠の側面桟下面に当接して、順次重ね合わせ可能に設けた請求項１乃至４の何れか１項に記載の変圧器の収納保管装置。
【請求項６】
　上記水平枠の側面桟下面に、当接板を設けた請求項５に記載の変圧器の収納保管装置。
【請求項７】
　対向する一対の脚片を有し、一方の脚片先端部には、回動可能に軸着した抜け止め部を設け、他方の脚片先端部には、前記抜け止め部を係止するための係止部を設けた略コ字形状の連結体を一対、相対向する位置に設けた断面枠形状の連結具を、隣接する装置の突き合わせ角部に嵌合させると共に、前記抜け止め部を回動して係止部に係止させることにより、隣接する装置同志を連結可能に設けた請求項１乃至６の何れか１項に記載の変圧器の収納保管装置。
【考案の詳細な説明】
【技術分野】
【０００１】
　本考案は、変圧器の収納、保管が可能である丈夫な収納保管装置に関し、特に、変圧器を収納した使用時において、装置同志を複数段積み重ねることができ、変圧器を収納していない未使用時において、装置同志を重ね合わせることができ、さらに、隣接する装置同志を安全に連結することができる変圧器の収納保管装置に関する。
【背景技術】
【０００２】
　従来、変圧器を保管する場合、平坦な場所をコンクリート整備して保管場所を確保し、この保管場所に変圧器を二段まで積み重ねて平坦に並べていた。変圧器は、安全性の点から二段までしか積み重ねることができないため、広大な保管スペースが必要であり、また、変圧器単位で運搬しなければならないため効率が悪く、一度積み重ねて並べた変圧器を他の場所に移動することは大変な労力が必要であり、保管場所を有効利用することができない等の問題を有していた。さらに、平坦に密接して並べられた変圧器の管理は、時間や労力を多く費やさなければならなかった。
【０００３】
　そこで、変圧器などの大型の電気機器を運搬、保管できる装置として、両端に脚を備えた一対の枠材と、この枠材の両方にまたがる一対の連結梁とによって架台本体を構成し、連結梁の長さ方向に沿う任意の位置でこの連結梁に対して枠材をボルトにより固定するとともに、各枠材の表面に、運搬兼保管対象の電気機器の縦ベースが嵌入される溝と、電気機器の横ベースを上面から押え込む押え片とを備えた固定金具の一対を、枠材の長さ方向に沿う任意の位置でボルトにより固定自在とした架台が提案されている。（例えば、特許文献１参照。）。
【特許文献１】特許第３０１８８９９号公報（第１−２頁、第１図）
【考案の開示】
【考案が解決しようとする課題】
【０００４】
　しかしながら、特許第３０１８８９９号公報は、架台を構成する部材自体が重いため、その運搬には労力、コストがかかると共に、各部材はボルト・ナットにより互いに連結されているので、その組立て及び分解には手間がかかる等の問題を有している。
【０００５】
　本考案は、上記問題点を解消するためになされたものであり、変圧器を複数台一括して収納した状態で、安全で効率よく保管、運搬等ができ、且つ、保管スペースを有効に利用することができる変圧器の収納保管装置を提供することを目的とする。
【課題を解決するための手段】
【０００６】
　前記目的を達成するために、請求項１に係る考案は、矩形状基底部の前側に、該基底部幅以上の内寸幅を設けて一対の前方支柱を立設し、且つ、基底部の後側に、前記前方支柱の内寸幅以下の外寸幅を設けて一対の後方支柱を立設し、該後方支柱の外寸幅以上の内寸幅を有した略コ字形状の水平枠を、前記前方支柱間を開口面として各支柱に渡って設けており、前記各支柱下端部に形成した係合載置部を、下側に位置する装置の各支柱上端部に夫々嵌入載置すると共に、各係合載置部及び支柱上端部に形成された貫通孔にロック部材を挿着して、装置同志を積み重ね可能に設けた変圧器の収納保管装置である。
【０００７】
　請求項２に係る考案は、矩形状基底部の前側に、該基底部幅以上の内寸幅を設けて一対の前方支柱を立設し、且つ、基底部の後側に、前記前方支柱の内寸幅以下の外寸幅を設けて一対の後方支柱を立設し、該後方支柱の外寸幅以上の内寸幅を有した略コ字形状の水平枠を、前記前方支柱間を開口面として各支柱に渡って設けており、前記各支柱の下端部には係合載置部を形成し、各支柱の上端部にはガイド部を形成し、前記各係合載置部を下側に位置する装置の各ガイド部に夫々嵌入載置して、装置同志を積み重ね可能に設けたことを特徴とする変圧器の収納保管装置である。
【０００８】
　請求項３に係る考案は、上記支柱間に、着脱自在な補助バーを設けた変圧器の収納保管装置である。
【０００９】
　請求項４に係る考案は、上記前方支柱の正面側に、上記基底部の上面と同一高さに水平面を有する断面略Ｌ字状の係止片を設け、装置同志を重ね合わせた時に、上側に位置する装置の前方支柱の係合載置部が、下側に位置する装置の前方支柱の係止片に係止して、順次重ね合わせ可能に設けた変圧器の収納保管装置である。
【００１０】
　請求項５に係る考案は、上記水平枠は、前方支柱と後方支柱の間を連結する一対の側面桟と、後方支柱間を連結する後面桟とからなり、装置同志を重ね合わせた時に、下側に位置する装置の前方支柱上端部が、上側に位置する装置の水平枠の側面桟下面に当接して、順次重ね合わせ可能に設けた変圧器の収納保管装置である。
【００１１】
　請求項６に係る考案は、上記水平枠の側面桟下面に当接板を設けた変圧器の収納保管装置である。
【００１２】
　請求項７に係る考案は、対向する一対の脚片を有し、一方の脚片先端部には、回動可能に軸着した抜け止め部を設け、他方の脚片先端部には、前記抜け止め部を係止するための係止部を設けた略コ字形状の連結体を一対、相対向する位置に設けた断面枠形状の連結具を、隣接する装置の突き合わせ角部に嵌合させると共に、前記抜け止め部を回動して係止部に係止させることにより、隣接する装置同志を連結可能に設けた変圧器の収納保管装置である。
【考案の効果】
【００１３】
　本考案である変圧器の収納保管装置を用いることによって、重量が重い変圧器を効率よく収納することができ、変圧器の立体的保管、並びに装置自体の立体的保管が可能であり、変圧器の収納、未収納にかかわらず、保管スペースを有効に利用することが可能となった。
　さらに、複数の変圧器を一括して移動、運搬が可能であり、管理が容易になると共に、隣接する装置同志を連結することで、複数の装置をブロックとして配置することができ、保管スペース等に適合した管理が可能となった。
　さらに、耐久性を有し、使用時における装置は、震度７以上の耐震性能を確保する等の優れた安全性を実現することが可能となった。
【考案を実施するための最良の形態】
【００１４】
　本考案における変圧器の収納保管装置の一実施形態を図面に基づいて説明する。
　なお、本考案において記載する「装置同志を重ね合わせる」とは、未使用時において、後述する収納保管装置の基底部上面に他方の装置を載せることで、「装置同志を積み重ねる」とは、使用時において、後述する収納保管装置の各支柱上端部に他方の装置を載せることをいう。
　図１に示すように、図中１は、変圧器Ａを収納する収納保管装置（以下、本装置１という）であり、図中２は、１つ又は複数の変圧器Ａを載置することが可能な矩形状基底部である。この基底部２は、後述する前方支柱３及び後方支柱４と同形状の角パイプを格子状に組み合わせて形成した支持部２ａと、この支持部２ａ上面と略同面積の床板２ｂとからなり、支持部２ａ上面に床板２ｂを、本例では溶接固着して構成されている。なお、基底部の構造は、上記したものに限定されるものではなく、また、本装置１の大きさは、収納保管される変圧器Ａの大きさ、個数に応じて任意である。
【００１５】
　上記基底部２の前側角部には、基底部幅以上の内寸幅（本例では、基底部幅と略同等）を設けて、角パイプで形成された一対の前方支柱３，３を立設し、且つ、基底部２の後側角部には、前方支柱３，３の内寸幅以下の外寸幅（本例では、内寸幅と略同等）を設けて、角パイプで形成された一対の後方支柱４，４を立設しており、これら各支柱３，４は、基底部２（支持部２ａ）の角部に、本例では溶接固着されている。なお、後方支柱４，４は、正面（前方支柱３，３を立設した面）から見て前方支柱３，３の内側であれば、多数設けても良く、また、基底部２上に立設して設けても良い。
【００１６】
　図１に示すように、前方支柱３，３の正面及び背面には、着脱自在な補助バー３３，３４の端部を嵌入するための嵌合部３ａを複数設け、また、後側支柱４，４の外側面には、補助バー３４の端部を嵌入するための嵌合部４ａを複数設けており、本例では、前面を構成する前方支柱３，３間には、３本の補助バー３３を設け、左側面及び右側面を構成する前方支柱３と後方支柱４間には、それぞれ２本の補助バー３４を設けている。また、後面を構成する後方支柱４，４間には、本例では、溶接固着された４本の補助バー４４を設けている。なお、上記補助バー３３，３４，４４の本数を適宜増減することが可能であり、実施に応じて任意である。また、図１に示すように、本装置１の左右側面には、強度部材として着脱自在な筋かい３４ａ，３４ａを設け、本装置１の後面には、強度部材として溶接固着された筋かい４４ａを設けている。なお、実施に応じて、補助バー４４及び筋かい４４ａを着脱自在としてもよい。
【００１７】
　上記前方支柱３，３及び後方支柱４，４の下端部には、下端を開口した中空形状の係合載置部５を、本例では溶接固着して設けている。この係合載置部５の天板には貫通孔５ａが形成されており、各支柱３，４などに入った水を抜き出すことができ、しかも、温度上昇による角パイプ内部の空気膨張などを防止することを可能にしている。
【００１８】
　基底部２の後側両隅には、前記係合載置部５の開口した下端面積よりも広い面積を有する、本例ではゴム製の載置板６，６を設けており、後述する本装置同志の重ね合わせ時に、上側になる本装置１の後方支柱４，４の係合載置部５，５を、下側になる本装置１の載置板６，６上に載置させるようにしている。
【００１９】
　図中７は、後方支柱４，４の外寸幅以上の内寸幅を有した略コ字形状の水平枠であり、この水平枠７は、前方支柱３，３間（前面）を開口面として、角パイプで形成された一対の側面桟７ａ，７ａ及び後面桟７ｂで構成されており、図示するように、略Ｌ字形状の側面桟７ａ，７ａの一端を前方支柱３，３の背面に固着し、且つ、他端を後方支柱４，４の外側面に固着すると共に、直線状の後面桟７ｂは、前記側面桟７ａ，７ａと同一高さで、後方支柱４，４の内側面にその両端を固着して設けている。なお、上記水平枠７は、側面桟７ａ，７ａと後面桟７ｂとを直接結合させて略コ字形状の水平枠７を形成するようにしても良い。
【００２０】
　図２は、本装置１の側面図であり、同図に示すように、上記水平枠７は、各支柱３，４の上端部から水平枠７の下面までの離間距離Ｌ１と、係合載置部５の下端面から基底部２の上面までの離間距離Ｌ２とが等しくなるよう、各支柱３，４に渡って固着されている。また、水平枠７の側面桟７ａ，７ａ下面には、適宜面積を有する当接板８，８を固着しており、後述する本装置同志の重ね合わせ時に、下側になる本装置１の前方支柱３，３の上端部を、この当接板８に当接させるようにしている。なお、本例において、当接板８はゴム製である。
【００２１】
　図中９は、基底部２の上面と同じ高さに水平面９ａを有する断面略Ｌ字状の係止片であり、この係止片９は、前方支柱３と基底部２（支持部２ａ）にまたがって、本例では溶接固着された略三角形状の固着板１０上端に、前方向に突出して形成されている。この係止片９は、後述する本装置同志の重ね合わせ時に使用され、前方支柱３下端部の係合載置部５を水平面９ａで支えて、上側に重ね合わせた本装置１を水平に保つと共に、上方向に折曲した先端部で係合載置部５を係止して、上側に重ね合わせた本装置１のずれを防止するようにしている。なお、上側に重ね合わせた本装置１が水平よりも後側に若干傾くように、水平面９ａを基底部２の上面よりも上方に設けたり、水平面９ａを傾斜させることによって、複数段重ね合わせたときの重心を前側に偏らせないようにしても良い。
【００２２】
　次に、本装置同志を積み重ねる手順について説明する。
　変圧器Ａを収納、保管する場合、本装置１の基底部２上面に、本例では、変圧器Ａを縦横２列、２段に積み重ねた後、前面を構成する前方支柱３，３に着脱自在な補助バー３３を３本取り付け、左右側面を構成する前方支柱３と後方支柱４に着脱自在な補助バー３４をそれぞれ２本取り付けて、本装置１内に変圧器Ａを収納する。
　次いで、図３（ａ）に示すように、上側に積み重ねる本装置１の各係合載置部５の内部に、下側の本装置１の各支柱３，４上端部を嵌入して本装置同志を積み重ねる。この場合、本装置１，１の前方支柱３，３，・・同志、後方支柱４，４，・・同志を一致させる。
【００２３】
　上記したように、本装置同志を積み重ねると、上側に積み重ねた本装置１の重さにより、各支柱３，４上端部が係合載置部５内に確実に嵌入されて、積み重ね状態がより安定する。また、図３（ｂ）に示すように、各支柱３，４上端部を係合載置部５内に嵌入した後、係合載置部５に形成された貫通孔５ｂ、及び各支柱３，４上端部に形成された貫通孔３ｂ，４ｂに、それぞれロック部材１１を挿着して、本装置同志の積み重ねを順次行う。
【００２４】
　図４に示すように、本例のロック部材１１は、途中位置をピン等で軸着され、一方向にのみ折りたたみ可能なロック部材１１であり、同図に示すように、連通した貫通孔５ｂと貫通孔３ｂ（４ｂ）への挿入時には、折りたたみ不能な方向を上面にして挿入した後、挿入したロック部材１１を略１８０度回転して、軸着された先端部を下方に曲げることにより、本装置同志の積み重ねを完了する。これにより、上側に積み重ねた本装置１の落下などを防ぐと共に、上下に積み重ねた本装置１，１の各支柱同志が、垂直状態で、且つ、同一軸線上に連結される構造であるので、耐荷重性、耐久性にも極めて優れている。さらに、変圧器Ａを収納することによって、本装置１ごとにフォークリフトなどを用いて移動することができ、複数（本例では、８個）の変圧器Ａを一括管理することができる。
　なお、図５は、本装置同志を積み重ねた状態を示す正面図であり、図６は、本装置同志を積み重ねて複数並べた概略斜視図である。
【００２５】
　また、図７は、各支柱下端部にベースプレート１ｂを設けたベース体１ａの斜視図であり、前記ベースプレート１ｂには、アンカーボルト取付穴１ｃが形成されており、各取付穴１ｃにアンカーボルトを取り付けて地面に固定できるようにしている。このベース体１ａを最下部として、本装置１を順次積み重ねるようにすることが可能であり、この場合、上記した本装置同志を積み重ねる手順と同様に、本装置１の各支柱とベース体１ａの各支柱同志が、垂直状態で、且つ、同一軸線上に連結される。
【００２６】
　次に、本装置同志を重ね合わせる手順について説明する。
　変圧器Ａを収納しない場合は、各支柱３，４に取り付けた補助バー３３，３４を取り外し、図８に示すように、上側に重ね合わせる本装置１の後方支柱４，４下端部の係合載置部５，５を、下側の本装置１の基底部２上面に設けた載置板６，６に載置させると共に、図９及び図１０に示すように、前方支柱３，３下端部の係合載置部５，５を、下側の本装置１の係止片９，９にそれぞれ引っ掻けて係止させる。
　このとき、図１１に示すように、下側の本装置１の前方支柱３，３上端部を、上側に重ね合わせた本装置１の水平枠７下面に設けた当接板８，８に当接させる。
【００２７】
　上記したように、本装置同志を重ね合わせることによって、略１つの本装置１が占める面積において、複数の未使用の本装置１を保管することができ、また、一度に複数の本装置１をトラックなどに積載して、効率良く運搬することができる。
　さらに、本例では、ゴム製の載置板６，６及び当接板８，８に、係合載置部５，５及び前方支柱３，３上端部を当接させているので、損傷や塗装の剥離などを防ぐと共に、重ね合わせた本装置同志のずれ、特に、前方への飛び出しや転倒を防止している。
【００２８】
　次に、他の実施形態である一例を説明する。なお、上記した実施形態と同一部材には同一符号を付して、その説明を省略する。
　図１２及び図１３に示すように、各支柱３，４の下端部には、支柱３，４の端面よりも広い面積の下面を有する方形筒状の下部５ｃに、断面台形状、且つ、略錐体状の上部５ｄを延設して形成された係合載置部５が、本例では溶接固着して設けられており、この係合載置部５の上部５ｄ天板には、貫通孔５ａが穿孔されている。なお、他例として、後方支柱４を基底部２上に立設して設けた場合、係合載置部５は、後方支柱４の垂下部に位置する基底部２下面に設ける。このように、係合載置部５を設ける位置は、支柱３，４の下端部に限定されず、各支柱３，４の延長線上で、基底部２を水平に保つことができれば良い。
【００２９】
　図１２及び図１３に示すように、各支柱３，４の上端部には、ガイド部１２が形成されており、このガイド部１２は下面を開口した中空形状であり、支柱３，４の端面と略等しい面積の下端面を有する断面台形状で略錐体状に形成され、本例では、下端面を各支柱３，４の上端部に溶接固着している。これにより、本装置同志を積み重ねる時に、係合載置部５内にガイド部１２が入りやすくなり、本装置同志の位置合わせを容易にしている。
　また、水平枠７は、各支柱３，４の上端部に設けたガイド部１２の先端面から、水平枠７の下面までの離間距離Ｌ１と、係合載置部５の最下端面から基底部２の上面までの離間距離Ｌ２とが等しくしなるように、各支柱３，４に渡って固着されている。
【００３０】
　使用時において、本装置同志を積み重ねると、上側に積み重ねた本装置１の重さにより、係合載置部５内に嵌入された各支柱３，４のガイド部１２が確実に嵌入されて、積み重ね状態がより安定すると共に、上側に積み重ねた本装置１の落下などを防ぐ構造となっている。また、上下に積み重ねた本装置１，１の各支柱同志が、垂直状態で、且つ、同一軸線上に連結される構造であるので、耐荷重性、耐久性に極めて優れている。さらに、変圧器Ａを収納することによって、本装置１ごとにフォークリフトなどを用いて移動することができ、複数（本例では、８個）の変圧器Ａを一括管理することができる。
　なお、本装置同志を重ね合わせる手順については、上記実施形態と同様であるので説明を省略する。
【００３１】
　次に、本装置同志を同一平面において連結する一実施形態を説明する。
　図１４は、９つの本装置１を同一平面に連結してなるブロックの一例であり、図中１３は、前後左右に隣接する４つの本装置における突き合わせ角部を連結する連結具であり、図中１４は、前後に隣接する２つの本装置における突き合わせ角部を連結する連結具であり、さらに、図中１５は、左右に隣接する２つの本装置における突き合わせ角部、或いはその近傍位置を連結する連結具である。
【００３２】
　図１５に示すように、連結具１３は、並列状態に隣接する２つの側面桟７ａ，７ａの外寸幅以上の内寸幅を有した一対の脚片１３ａ，１３ａを形成し、対向する一方の脚片１３ａの先端部には、回動可能に軸着した抜け止め部１３ｂを設け、他方の脚片１３ａの先端部には、前記抜け止め部１３ｂを係止するための係止部１３ｃを設けた略コ字形状の連結体１６を、相対向した位置に一対設けた断面枠形状の連結具である。
　同図に示すように、水平枠７の側面桟７ａを並列状態にして左右に隣接し、且つ、この側面桟７ａを直列状態にして前後に隣接する４つの本装置同志の突き合わせ角部を連結する場合には、連結具１３を、突き合わせ角部において、並列状態に隣接した側面桟７ａ，７ａと、直列状態に隣接した側面桟７ａ，７ａにまたがって嵌合させると共に、前記抜け止め部１３ｂを回動して係止部１３ｃに係止させることによって、前後左右に隣接する４つの本装置同志を連結すると共に、前記抜け止め部１３ｂによって、本装置同志の連結状態が不用意にはずれることを防止している。
【００３３】
　図１６に示すように、連結具１４は、側面桟７ａの厚み幅以上の内寸幅を有した一対の脚片１４ａ，１４ａを形成し、対向する一方の脚片１４ａの先端部には、回動可能に軸着した抜け止め部１４ｂを設け、他方の脚片１４ａの先端部には、前記抜け止め部１４ｂを係止するための係止部１４ｃを設けた略コ字形状の連結体１７を、相対向した位置に一対設けた断面枠形状の連結具である。
　同図に示すように、水平枠７の側面桟７ａを直列状態にして前後に隣接する本装置同志の突き合わせ角部を連結する場合には、連結具１４を、突き合わせ角部において、直列状態に隣接した側面桟７ａ，７ａに跨って嵌合させると共に、前記抜け止め部１４ｂを回動して係止部１４ｃに係止させることによって、前後に隣接する２つの本装置同志を連結すると共に、前記抜け止め部１４ｂによって、本装置同志の連結状態が不用意にはずれることを防止している。
【００３４】
　図１７に示すように、連結具１５は、並列状態に隣接する２つの側面桟７ａ，７ａの外寸幅以上の内寸幅を有した一対の脚片１５ａ，１５ａを形成し、対向する一方の脚片１５ａの先端部には、回動可能に軸着した抜け止め部１５ｂを設け、他方の脚片１５ａの先端部には、前記抜け止め部１５ｂを係止するための係止部１５ｃを設けた略コ字形状の連結体である。すなわち、上記した連結具１３における連結体１６と同一である。
　同図に示すように、水平枠７の側面桟７ａを並列状態にして左右に隣接する２つの本装置同志の突き合わせ角部、或いはその近傍位置等を連結する場合には、連結具１５を並列状態に隣接した側面桟７ａ，７ａにまたがって嵌合させると共に、前記抜け止め部１５ｂを回動して係止部１５ｃに係止させることによって、左右に隣接する２つの本装置同志を連結すると共に、前記抜け止め部１５ｂによって、本装置同志の連結状態が不用意にはずれることを防止している。
【００３５】
　上記した連結具１３，１４，１５は、連結する本装置１の個数や、構成されるブロックの形状等に合わせて、自由に組み合わせることができるので、保管スペース等に合わせて、管理を行うことを可能にしている。
【図面の簡単な説明】
【００３６】
【図１】本考案の収納保管装置の一例を示す斜視図である。
【図２】本考案の収納保管装置の側面図である。
【図３】上下に積み重ねる本装置同志の積み重ね手順を示す説明図である。
【図４】ロック部材の挿着状態を示す説明図である。
【図５】本装置同志を積み重ねた状態を示す正面図である。
【図６】本装置同志を積み重ねて複数並べた概略斜視図である。
【図７】ベース体の斜視図である。
【図８】本装置同志を重ね合わせた時の係合載置部と載置板の状態を示す部分斜視図である。
【図９】本装置同志を重ね合わせる前の係合載置部と係止片の斜視図である。
【図１０】本装置同志を重ね合わせた時の係合載置部と係止片の状態を示す部分断面図である。
【図１１】本装置同志を重ね合わせた状態を示す概略図である。
【図１２】本考案の収納保管装置の他例を示す斜視図である。
【図１３】他例の本装置同志を積み重ねた時のガイド部の挿入状態を示す部分断面図である。
【図１４】９つの本装置同志を前後左右に連結してブロックとした状態を示す説明図である。
【図１５】図１４において、前後左右に隣接する４つの本装置の突き合わせ角部を連結する状態を示す斜視図である。
【図１６】図１４において、前後に隣接する２つの本装置の突き合わせ角部を連結する状態を示す斜視図である。
【図１７】図１４において、左右に隣接する２つの本装置の突き合わせ角部を連結する状態を示す斜視図である。
【符号の説明】
【００３７】
　１　収納保管装置（本装置）
　２　基底部
　３　前方支柱
　４　後方支柱
　５　係合載置部
　６　載置板
　７　水平枠
　７ａ　側面桟
　７ｂ　後面桟
　８　当接板
　９　係止片
　１１　ロック部材
　１２　ガイド部
　１３，１４，１５　連結具
　１３ａ，１４ａ，１５ａ　脚片
　１３ｂ，１４ｂ，１５ｂ　抜け止め部
　１３ｃ，１４ｃ，１５ｃ　係止部
　１６，１７　連結体
　３３，３４　補助バー
【図１】
0003099712.tif 000003
【図２】
0003099712.tif 000004
【図３】
0003099712.tif 000005
【図４】
0003099712.tif 000006
【図５】
0003099712.tif 000007
【図６】
0003099712.tif 000008
【図７】
0003099712.tif 000009
【図８】
0003099712.tif 000010
【図９】
0003099712.tif 000011
【図１０】
0003099712.tif 000012
【図１１】
0003099712.tif 000013
【図１２】
0003099712.tif 000014
【図１３】
0003099712.tif 000015
【図１４】
0003099712.tif 000016
【図１５】
0003099712.tif 000017
【図１６】
0003099712.tif 000018
【図１７】
0003099712.tif 000019